(57)【要約】【課題】  両リベット孔にリベットの軸部を通す際に挿入不良等が発生しないようにするとともに、第２部材が第１部材に対して良好に回転できるように両者を連結する。【解決手段】  本発明に係るリベットのカシメによる連結構造は、第１部材１７ａに形成された第１リベット孔１７ｒと第２部材２０に形成された第２リベット孔２０ｒとにリベット３０の軸部３２を通し、そのリベット３０をカシメて第１部材１７ａと第２部材２０とを連結するリベットのカシメによる連結構造であって、第１リベット孔１７ｒと第２リベット孔２０ｒとが等しい径寸法であり、リベット３０をカシメた状態で、第２リベット孔２０ｒとリベット３０の軸部３２との間、及び第１部材１７ａと第２部材２０との間には、第２部材２０が第１部材１７ａに対して回転可能なように所定のクリアランスが設けられていることを特徴とする。【選択図】        図１
2005083404.tif 000002
【特許請求の範囲】
【請求項１】
第１部材に形成された第１リベット孔と第２部材に形成された第２リベット孔とにリベットの軸部を通し、そのリベットをカシメて前記第１部材と前記第２部材とを連結するリベットのカシメによる連結構造であって、
第１リベット孔と第２リベット孔とは等しい径寸法であり、
前記リベットをカシメた状態で、前記第２リベット孔と前記リベットの軸部との間、及び前記第１部材と前記第２部材との間には、前記第２部材が前記第１部材に対して回転可能なように所定のクリアランスが設けられていることを特徴とするリベットのカシメによる連結構造。
【請求項２】
請求項１に記載されたリベットのカシメによる連結構造であって、
第１部材あるいはその第１部材と一体化された第３部材には、前記第１部材に対して第２部材がほぼ一定の軌跡で回転できるように、その第２部材をガイドするガイド部材が設けられていることを特徴とするリベットのカシメによる連結構造。
【発明の詳細な説明】
【技術分野】
【０００１】
本発明は、第１部材に形成された第１リベット孔と第２部材に形成された第２リベット孔とにリベットの軸部を通し、そのリベットをカシメて前記第１部材と前記第２部材とを連結するリベットのカシメによる連結構造に関する。
【背景技術】
【０００２】
これに関する従来のリベットのカシメによる連結構造が特許文献１に記載されている。
この連結構造に使用されるリベット９１は、図６（Ａ）に示すように、一端に頭部９５を有する中空のリベット本体９２と、そのリベット本体９２に通される心軸９３とから構成されている。心軸９３の基端部には、リベット本体９２の基端部（頭部９５の反対側）を塑性変形させる心軸頭部９８が形成されている。
上記リベット１によって第１部材１０１と第２部材１０２とを連結する場合には、図６（Ｂ）に示すように、第１部材１０１の第１リベット孔１０１ｈと第２部材１０２の第２リベット孔１０２ｈにリベット本体９２を通す。次に、心軸９３をリベット本体９２に対して軸方向に相対移動させ、心軸頭部９８によりリベット本体９２の基端部を拡大させてカシメを行う。これにより、第１部材１０１に対して第２部材１０２が固定される。
【０００３】
【特許文献１】特開２０００−１１０８１５号公報
【発明の開示】
【発明が解決しようとする課題】
【０００４】
しかし、上記したリベット９１のカシメによる連結構造は第１部材１０１に対して第２部材１０２を固定するためのものであり、第１部材１０１に対して第２部材１０２を回転可能な状態で連結するものではない。
図５（Ａ）（Ｂ）には、第１部材１０１に対して第２部材１０２を回転させることが可能なリベットのカシメによる連結構造が示されている。この連結構造で使用されるリベット８１は、第１部材１０１の第１リベット孔１０１ｈに通される小径部８３と、第２部材１０２の第２リベット孔１０２ｈに通される大径部８４とを備えている。そして、大径部８４の基端部に第２部材１０２を押さえる頭部８５が設けられており、小径部８３の先端部分に塑性変形するカシメ部８２が設けられている。
【０００５】
リベット８１の大径部８４の長さ寸法は、第２部材１０２の肉厚寸法よりもクリアランス分だけ大きく設定されている。また、その大径部８４と第２部材１０２の第２リベット孔との間には所定のクリアランスが設けられるようになっている。このため、図５（Ａ）に示すように、リベット８１がカシメられることで、第２部材１０２は第１部材１０１に対して回転可能な状態で連結される。
【０００６】
しかし、上記したリベット８１のカシメによる連結構造では、第１部材１０１の第１リベット孔１０１ｈと第２部材１０２の第２リベット孔１０２ｈとの孔径が異なるために、第１リベット孔１０１ｈと第２リベット孔１０２ｈとの心ズレが発生し易い。図５（Ｃ）に示すように、第１リベット孔１０１ｈと第２リベット孔１０２ｈとの間で心ズレが発生すると、リベット８１の大径部８４を第２部材１０２の第２リベット孔１０２ｈに挿入できなくなり、連結不良が発生する。
本発明は、上記問題点を解決するためになされたものであり、第１部材と第２部材との連結不良が発生しないようにするとともに、第２部材が第１部材に対して良好に回転できるように両者を連結することである。
【課題を解決するための手段】
【０００７】
上記した課題は、各請求項の発明によって解決される。
請求項１の発明は、第１部材に形成された第１リベット孔と第２部材に形成された第２リベット孔とにリベットの軸部を通し、そのリベットをカシメて前記第１部材と前記第２部材とを連結するリベットのカシメによる連結構造であって、第１リベット孔と第２リベット孔とは等しい径寸法であり、前記リベットをカシメた状態で、前記第２リベット孔と前記リベットの軸部との間、及び前記第１部材と前記第２部材との間には、前記第２部材が前記第１部材に対して回転可能なように所定のクリアランスが設けられていることを特徴とする。
【０００８】
本発明によると、第１リベット孔と第２リベット孔とが等しい径寸法であるため、容易に両リベット孔を同心に位置合わせできるようになる。そして、第１リベット孔と第２リベット孔とを同心に位置合わせすることで、両リベット孔にリベットの軸部を通す際に挿入不良等が発生することはない。
また、前記リベットをカシメた状態で、リベットの軸部と第２リベット孔との間、及び第１部材と第２部材との間には、前記第２部材が前記第１部材に対して回転可能なように所定のクリアランスが設けられている。このため、第２部材は第１部材に対して良好に回転できるようになる。
【０００９】
請求項２の発明によると、第１部材あるいはその第１部材と一体化された第３部材には、前記第１部材に対して第２部材がほぼ一定の軌跡で回転できるように、その第２部材をガイドするガイド部材が設けられている。このため、リベットのカシメによる連結部分でガタ等が発生しても、第２部材は第１部材に対してほぼ一定の軌跡で回転できるようになる。
【発明の効果】
【００１０】
本発明によれば、第１部材と第２部材との連結不良が減少するとともに、第２部材が第１部材に対して良好に回転できるようになる。
【発明を実施するための最良の形態】
【００１１】
以下、図１から図４に基づいて、本発明の実施形態１に係るリベットのカシメによる連結構造の説明を行う。本実施形態は本発明に係る連結構造をパチンコ機の施錠装置に適用した例を表している。ここで、図１は本実施形態に係るリベットのカシメによる連結構造を表す平面図（Ａ図）、縦断面図（Ｂ図）、カシメ手順図（Ｃ図）及び連結部分拡大図（Ｄ図）である。また、図２はパチンコ機の施錠装置の部分側面図、図３はその施錠装置を備えるパチンコ機の前方斜視図、図４はパチンコ機の後方斜視図である。
【００１２】
パチンコ機１は、図３、図４に示すように、略方形枠状に形成されて本体ケースとなる機台枠２を備えている。機台枠２の前面側には、ヒンジ（図示せず）を介して遊技盤等の支持枠３（以下、表枠３という）が扉状に開閉可能に取付けられている。表枠３は図示されていない遊技盤や制御装置等、パチンコ機の主要部品が取付けられる枠であり、その表枠３の前面にヒンジを介して片開き状にガラス枠５が取付けられている。また、このガラス枠５の下部側に、玉受け皿を有する前板６がヒンジを介して片開き状に取付けられている。
【００１３】
機台枠２には、図４に示すように、縦枠２ａの内側面の上下所定位置にその機台枠２の内方に突出する第１爪受け具７が止着されている。第１爪受け具７には、表枠３に取付けられた施錠装置１０の上下の第１係合爪２０（図２等参照）がそれぞれ掛けられようになっている。そして、第１係合爪２０が第１爪受け具７に掛けられた状態で、表枠３は機台枠２に対して施錠される。
機台枠２に対する表枠３の施錠装置１０は、図４に示すように、表枠３の裏面自由端側に縦設されている。なお、表枠３に対するガラス枠５の施錠装置については説明を省略する。
【００１４】
施錠装置１０は、断面略Ｌ字形をした固定基枠１５（図４参照）と、上下に一対の第１係合爪２０を備える第１係合爪部材２５（図２参照）等とを備えている。
固定基枠１５は、施錠装置１０を表枠３の裏面に取付けるとともに第１係合爪部材２５をスライド可能に支持する部材であり、図４に示すように、固定板１７とガイド板１８とにより断面略Ｌ形に形成されている。
固定基枠１５の固定板１７の下端部寄りには、図２（Ａ）、図３に示すように、シリンダ錠２２が着脱可能に取付けられている。シリンダ錠２２は施錠装置１０の解錠を行うための錠であり、そのシリンダ錠２２の回転軸２２ｊ（図２（Ｂ）参照）の先端に略ブーメラン形状の解錠レバー２３が取付けられている。
【００１５】
解錠レバー２３は、第１解錠片２３ａと第２解錠片２３ｂとから構成されており、下側の第１解錠片２３ａが後述する第１係合爪部材２５の掛合突片２６（図２（Ｂ）参照）と下方から係合している。このため、シリンダ錠２２がキー操作されて、解錠レバー２３が図３中右回動すると、第１解錠片２３ａによって第１係合爪部材２５が押し上げられる。
第１係合爪部材２５は、図２（Ａ）に示すように、ガイド板１８の表側で、そのガイド板１８に沿って上方にスライドすることにより上下の第１係合爪２０を上回動させ、下方にスライドすることによりそれらの第１係合爪２０を下回動させる錠板であり、その第１係合爪部材２５が下限位置にあるときに、第１係合爪２０は機台枠２の第１爪受け具７と係合する水平位置（係合位置）に保持される。
【００１６】
各々の第１係合爪２０の基端部は、図１（Ａ）（Ｂ）に示すように、固定板１７に取付けられた上部ガイド金具１７ａ及び下部ガイド金具１７ｂにそれぞれ第１ロックピン３０によって回動可能な状態で連結されている。以下、代表して上部ガイド金具１７ａと第１係合爪２０との連結構造について説明する。
第１ロックピン３０はリベットであり、図１（Ｃ）に示すように、軸部３２と、その軸部３２の基端部に設けられた頭部３４と、軸部３２の先端に設けられた塑性変形部３６とから構成されている。また、第１ロックピン３０の軸部３２の長さ寸法は、上部ガイド金具１７ａの厚み寸法と第１係合爪２０の厚み寸法との和よりも所定寸法だけ大きく設定されている。
【００１７】
上部ガイド金具１７ａのほぼ中央と第１係合爪２０の基端部とには、第１ロックピン３０の軸部３２が通されるリベット孔１７ｒ,２０ｒがそれぞれ形成されている。ここで、上部ガイド金具１７ａのリベット孔１７ｒと第１係合爪２０のリベット孔２０ｒとは等しい径寸法で、第１ロックピン３０の軸部３２の外径寸法よりも所定寸法だけ大きな値に設定されている。
このため、第１ロックピン３０をリベット孔２０ｒとリベット孔１７ｒとに通す際、図１（Ｃ）に示すように、ガイドピンＧを通すことで、両リベット孔２０ｔ,１７ｒを容易に同心に位置合わせできるようになり、第１ロックピン３０の挿入不良等が発生し難くなる。
【００１８】
第１ロックピン３０が上部ガイド金具１７ａのリベット孔１７ｒと第１係合爪２０のリベット孔２０ｒとに通されてカシメられた状態で、両リベット孔１７ｒ,２０ｒの径寸法は第１ロックピン３０の軸部３２の径寸法よりも約0.1mm（図１（Ｄ）に示すように半径で考えれば約0.05mm）だけ大きくなる。また、上部ガイド金具１７ａと第１係合爪２０との間には、その第１係合爪２０が上部ガイド金具１７ａに対して回転可能なように所定のクリアランスＣが設けられている。このため、第１係合爪２０は上部ガイド金具１７ａに対して良好に回転できるようになる。
即ち、上部ガイド金具１７ａ（下部ガイド金具１７ｂ）が本発明の第１部材に相当し、第１係合爪２０が本発明の第２部材に相当する。
【００１９】
固定基枠１５のガイド板１８には、図１（Ｂ）に示すように、その表側上部に突条１８ｚが形成されている。突条１８ｚは、上部ガイド金具１７ａの反対側から第１係合爪２０を支えることでその第１係合爪２０をガイド板１８とほぼ平行に保持する部材である。この突条１８ｚの働きで、第１ロックピン３０による第１係合爪２０の基端部と上部ガイド金具１７ａとの接続部分にガタが発生しても、第１係合爪２０がその厚み方向に揺動し難くなり、第１係合爪２０は上部ガイド金具１７ａに対してほぼ一定の軌跡で回転できるようになる。
即ち、突条１８ｚが本発明のガイド部材に相当し、固定基枠１５のガイド板１８が本発明の第３部材に相当する。
【００２０】
また、各々の第１係合爪２０の略中央部が連結ピン４０によって後記する第１係合爪部材２５の上部板２７と下部板２９とに連結されている。連結ピン４０はリベットであり、その連結ピン４０による第１係合爪２０の略中央部と上部板２７等との接続構造は、上記した第１ロックピン３０による第１係合爪２０の基端部と上部ガイド金具１７ａとの接続構造と等しい。このため、連結ピン４０による第１係合爪２０の略中央部と上部板２７等との接続構造の説明は省略する。
【００２１】
第１係合爪部材２５は、図２（Ａ）に示すように、上部板２７と、中央板２８と、下部板２９とから構成されている。
第１係合爪部材２５の上部板２７は、その板面が固定基枠１５のガイド板１８とほぼ平行に保持された帯状の短板であり、そのガイド板１８のほぼ幅方向中央位置に配置されている。上部板２７には、上側の第１係合爪２０が前述の連結ピン４０によって回動可能に連結されており、その上部板２７の下部に上部ピン２７ｐが固定されている。
第１係合爪部材２５の中央板２８は、その板面がガイド板とほぼ平行に保持された帯状の長板であり、上端部と下端部とが図２（Ａ）において右方向に突出した状態で形成されている。中央板２８の上端部には上縦長孔２８ｕが形成されており、その上縦長孔２８ｕに上部板２７の上部ピン２７ｐが通されている。これによって、第１係合爪部材２５の上部板２７と中央板２８とが直列に連結されるとともに、中央板２８はガイド板の左端位置（固定板１７にほぼ当接する位置）に配置される。
【００２２】
中央板２８のほぼ中央には、縦に中央長孔２８ｍが形成されており、その中央長孔２８ｍにガイド板１８の連結ピン１８ｐが係合されている。これによって、中央板２８は、中央長孔２８ｍの長さ分だけガイド板１８に対してスライド可能となる。ここで、中央長孔２８ｍの長さ寸法は上縦長孔２８ｕの長さ寸法とほぼ等しい値に設定されている。
また、中央板２８の下端部の近傍には、切欠き２８ｈ（図２（Ｂ））が形成されており、その切欠き２８ｈの縦辺のほぼ中央に掛合突片２６が形成されている。そして、図２（Ｂ）に示すように、掛合突片２６に前述のシリンダ錠２２の第１解錠片２３ａが下方から掛けられるようになっている。
【００２３】
中央板２８の下端部には下縦長孔２８ｄが形成されており、その下縦長孔２８ｄに下部板２９の上端に取付けられた下部ピン２９ｐが通されている。これによって、第１係合爪部材２５の中央板２８と下部板２９とが直列に連結される。下部板２９は、その板面がガイド板１８とほぼ平行に保持された帯状の短板であり、そのガイド板１８のほぼ幅方向中央位置に配置されている。下部板２９には、下側の第１係合爪２０が前述の連結ピン４０によって回動可能に連結されており、その下部板２９の上部に前述の下部ピン２９ｐが固定されている。
【００２４】
第１係合爪部材２５の上部板２７及び下部板２９には、それぞれバネ受け２７ｂ，２９ｂが形成されており、そのバネ受け２７ｂ，２９ｂに、それぞれ第１バネ４１、第２バネ４２の一端が掛けられている。そして、第１バネ４１、第２バネ４２の他端が固定基枠１５（固定板１７）のバネ受け１７ｘ，１７ｙに掛けられている。第１バネ４１、第２バネ４２は、上部板２７及び下部板２９を引き下げる方向に付勢されている。このため、上部板２７、中央板２８及び下部板２９は第１バネ４１及び第２バネ４２の力で下限位置に保持されており、上下の第１係合爪２０は機台枠２の第１爪受け具７に掛けられる係合位置（水平位置）に保持されている。
また、この状態で、第１係合爪部材２５における上部板２７の上部ピン２７ｐ及び下部板２９の下部ピン２９ｐは、図２（Ａ）に示すように、中央板２８の上縦長孔２８ｕ及び下縦長孔２８ｄの下端面にそれぞれ当接している。さらに、ガイド板１８の連結ピン１８ｐは中央板２８の中央長孔２８ｍの上端面に当接している。
【００２５】
この状態から、シリンダ錠２２の第１解錠片２３ａによって第１係合爪部材２５の中央板２８の掛合突片２６が押上げられると、その中央板２８の上縦長孔２８ｕ及び下縦長孔２８ｄの下端面によって下部ピン２９ｐ、上部ピン２７ｐが押上げられ、上部板２７及び下部板２９は共に第１バネ４１及び第２バネ４２の力に抗して上方にスライドする。これによって、第１係合爪２０は第１ロックピン３０の回りを上方に回動（図２（Ａ）中左回動）し、第１係合爪２０と機台枠２の第１爪受け具７との係合が解除されて、表枠３の解錠が行われる。
【００２６】
このように、本実施形態に係るパチンコ機の施錠装置１０によると、上部ガイド金具１７ａ（第１部材）のリベット孔１７ｒと第１係合爪２０（第２部材）のリベット孔２０ｒとが等しい径寸法であるため、容易に両リベット孔を同心に位置合わせできるようになる。そして、上部ガイド金具１７ａのリベット孔１７ｒと第１係合爪２０のリベット孔２０ｒとを同心に位置合わせすることで、両リベット孔１７ｒ,２０ｒに第１ロックピン３０（リベット）の軸部３２を通す際に挿入不良等が発生することはない。また、第１ロックピン３０をカシメた状態で、第１ロックピン３０の軸部３２と第１係合爪２０のリベット孔２０ｒとの間、及び上部ガイド金具１７ａと第１係合爪２０との間には、その第１係合爪２０が上部ガイド金具１７ａに対して回転可能なように所定のクリアランスが設けられている。このため、第１係合爪２０は上部ガイド金具１７ａに対して良好に回転できるようになる。
【００２７】
また、ガイド板１８の表側上部に設けられた突条１７（ガイド部材）の働きで、第１ロックピン３０による第１係合爪２０の基端部と上部ガイド金具１７ａとの接続部分にガタが発生しても、第１係合爪２０がその厚み方向に揺動し難くなり、第１係合爪２０は上部ガイド金具１７ａに対してほぼ一定の軌跡で回転できるようになる。
なお、本実施形態では、ガイド板１８の表側上部に突条１８ｚを設ける例を示したが、その突条１８ｚに相当する部材を上部ガイド金具１７ａ側に設けることも可能である。
また、本実施形態では、第１係合爪２０の基端部と上部ガイド金具１７ａとの連結部分及び第１係合爪２０の略中央部と第１係合爪部材２５の上部板２７等との連結部分に、本発明を適用する例を示したが、パチンコ機の施錠装置以外に本発明を適用することも可能である。
【図面の簡単な説明】
【００２８】
【図１】本発明の実施形態１に係るリベットのカシメによる連結構造を表す平面図（Ａ図）、縦断面図（Ｂ図）、カシメ手順図（Ｃ図）及び連結部分拡大図（Ｄ図）である。
【図２】パチンコ機の施錠装置の部分側面図である。
【図３】施錠装置を備えるパチンコ機の前方斜視図である。
【図４】パチンコ機の後方斜視図である。
【図５】従来のリベットのカシメによる連結構造を表す平面図（Ａ図）、カシメ手順図（Ｂ図）及びリベット孔を表す平面図（Ｃ図）である。
【図６】従来のリベットを表す縦断面図（Ａ図）及び前記リベットのカシメによる連結構造を表す縦断面図（Ｂ図）である。
【符号の説明】
【００２９】
１７      固定板
１７ａ    上部ガイド金具（第１部材）
１７ｒ    リベット孔（第１リベット孔）
１８      ガイド板（第３部材）
１８ｚ    突条（ガイド部材）
２０      第１係合爪（第２部材）
２０ｒ    リベット孔（第２リベット孔）
３０      第１ロックピン（リベット）
３２      軸部
３４      頭部
３６      塑性変形部
【図１】
2005083404.tif 000003
【図２】
2005083404.tif 000004
【図３】
2005083404.tif 000005
【図４】
2005083404.tif 000006
【図５】
2005083404.tif 000007
【図６】
2005083404.tif 000008